(57)【要約】【課題】遮音性を向上させることができるシャッターを提供する。【解決手段】複数個のスラット３１が上下に連設されてなるスラットカーテン３０と、このスラットカーテン３０の左右に立設されて、スラットカーテン３０の両側端部を案内する一対のガイドレール３と、スラットカーテン３０を巻き取る巻取ドラム５を収容したシャッターボックス７とを備えたシャッターであって、各スラット３１間の隙間がそれぞれ可撓性の閉塞部材３５により閉塞されている。【選択図】      図１
2004257121.tif 000002
【特許請求の範囲】
【請求項１】
複数個のスラットが上下に連設されてなるスラットカーテンと、このスラットカーテンの左右に立設されて、前記スラットカーテンの両側端部を案内する一対のガイドレールと、前記スラットカーテンを巻き取る巻取ドラムを収容したシャッターボックスとを備えたシャッターであって、前記各スラット間の隙間がそれぞれ可撓性の閉塞部材により閉塞されていることを特徴とするシャッター。
【請求項２】
前記閉塞部材は、前記スラットに形成された凹み部に前記閉塞部材の嵌合部が嵌合されて固定されていることを特徴とする請求項１に記載のシャッター。
【請求項３】
前記閉塞部材の前記嵌合部には、この嵌合部を前記スラットの長手方向に貫通する貫通孔が形成されていることを特徴とする請求項２に記載のシャッター。
【請求項４】
前記スラットカーテンの上部の室外側の隙間、前記スラットカーテンの両側端部と前記各ガイドレールとの間の隙間、および前記スラットカーテンと床面との間の隙間にそれぞれ、これらの隙間を閉塞する気密部材が設けられていることを特徴とする請求項１乃至３のいずれかに記載のシャッター。
【発明の詳細な説明】
【０００１】
【発明の属する技術分野】
本発明は、遮音性を高めたシャッターに関する。
【０００２】
【従来の技術】
図４は、従来のシャッターの一例を示す正面図である。このシャッターは、建築物の開口部を開閉するスラットカーテン１と、このスラットカーテン１の左右に立設されて、スラットカーテン１の昇降移動を案内する一対のガイドレール３，３と、スラットカーテン１を巻き取る巻取ドラム（図示せず）を収納したシャッターボックス７とを備えている。
【０００３】
図４および図５に示すように、スラットカーテン１は、複数個の細長いスラット９が上下方向に互いに連結されて構成されている。このスラットカーテンの１の上端部は、シャッターボックス７内の巻取ドラム５に固定されている。また、スラットカーテン１の下端部には、座板１１が設けられている。この座板１１の底面には、クロロプレンスポンジ等の可撓性を有する気密部材１４が固定されており、この気密部材１４により座板１１と床面１２との間の隙間が閉塞されている。
【０００４】
スラット９の上端部は、室外側に折り曲げられて略Ｃ字状に形成された上側連結部９ａとされ、下端部は、室外側に折り曲げられて略Ｃ字状に形成された下側連結部９ｂとされており、各スラット９はそれぞれ、インターロック方式により連結されている。すなわち、上下に隣接するスラット９，９は、上側のスラット９の下側連結部９ｂに、下側のスラット９の上側連結部９ａが引っ掛けられて回動自在に連結されている。また、各スラット９の上側連結部９ａと下側連結部９ｂとの間の中間部９ｃの裏面には、ロックウール等を用いた板状の吸音材１５が取り付けられている。
【０００５】
図６に示すように、両ガイドレール３，３はそれぞれ、断面形状が略コ字状に形成されており、両ガイドレール３，３の各開口部が互いに対向されて配置されている。両ガイドレール３，３の内部空間が形成する両ガイド溝３ａ，３ａにはそれぞれ、スラットカーテン１の両側端部が挿入されており、スラットカーテン１が両ガイド溝３ａ，３ａに案内されて昇降移動するようになっている。また、各ガイドレール３の内部にはそれぞれ、クロロプレンゴム等の可撓性を有する一対の気密部材１６が、スラトカーテン１を挟持するように設けられている。気密部材１６には、舌片状の気密部１６ａが形成されており、この気密部１６ａの先端部がスラットカーテン１に接触されており、これによりスラットカーテン１とガイドレール３との間の隙間が閉塞されている。
【０００６】
また、図５に示すように、シャッターボックス７には、クロロプレンゴム等の可撓性を有する２つの板状の気密部材１７が上下に並んで設けられている。これらの各気密部材１７の基端部はそれぞれシャッターボックス７に固定されている。また、各気密部材１７の先端部はそれぞれスラットカーテン１に接触されており、これによりスラットカーテン１とシャッターボックス７との間の隙間が閉塞されている。
【０００７】
また、シャッターボックス７に対向して位置されたまぐさ１９には、クロロプレンゴム等の可撓性を有する気密部材２１が設けられている。この気密部材２１の基端部はまぐさ１９に固定されている。また、気密部材２１の先端部はスラットカーテン１に接触されており、これによりスラットカーテン１とシャッターボックス３との間の隙間が閉塞されている。
【０００８】
このように構成された従来のシャッターにおいては、座板１１と床面１２との間、スラットカーテン１の両側端部とガイドレール３との間、スラットカーテン１とシャッターケース７との間、およびスラットカーテン１とまぐさ１９との間にそれぞれ、気密部材１４，１６，１７，２１を設けているとともに、各スラット１の裏面に吸音材１５を設けることにより遮音性の向上を図っている。したがって、このような従来のシャッターは、例えば、コンベンションセンター、劇場あるいは放送スタジオ等の可動式の間仕切りや、または防音を必要とする建築物等に用いられる。
なお、この従来のシャッターは、慣用されているものであるので、先行技術文献情報は特に記載しない。
【０００９】
【発明が解決しようとする課題】
ところで、近年、コンベンションセンター、劇場および放送スタジオ等の間仕切りなどにおいては、高い遮音性、例えば５００Ｈｚの音源に対する透過損失が３０ｄｂ以上の遮音性を要求されることが多くなっている。しかしながら、上記従来のシャッターにおいては、５００Ｈｚの音源に対する透過損失が２５ｄｂ程度であるため、十分に遮音することができない虞がある。このため、シャッターの遮音性を向上させることが望まれている。
【００１０】
本発明は、上記事情に鑑みて為されたもので、遮音性を向上させることができるシャッターを提供することを目的とする。
【００１１】
【課題を解決するための手段】
上記目的を達成するために、請求項１に記載のシャッターは、複数個のスラットが上下に連設されてなるスラットカーテンと、このスラットカーテンの左右に立設されて、前記スラットカーテンの両側端部を案内する一対のガイドレールと、前記スラットカーテンを巻き取る巻取ドラムを収容したシャッターボックスとを備えたシャッターであって、前記各スラット間の隙間がそれぞれ可撓性の閉塞部材により閉塞されていることを特徴とする。
【００１２】
請求項１に記載の発明においては、各スラット間の隙間をそれぞれ閉塞する閉塞部材を設けているので、シャッターの遮音性が向上する。また、閉塞部材が可撓性を有しているので、スラットカーテンを巻き上げているときに、各スラットと各閉塞部材との接触によるきしみ音などが発生しない。
【００１３】
請求項２に記載のシャッターは、請求項１に記載の発明において、前記閉塞部材は、前記スラットに形成された凹み部に前記閉塞部材の嵌合部が嵌合されて固定されていることを特徴とする。
【００１４】
請求項２に記載の発明においては、スラットの凹み部に閉塞部材の嵌合部を嵌合させて、スラットに閉塞部材を固定するので、スラットに閉塞部材を簡単に取り付けることができる。
【００１５】
請求項３に記載のシャッターは、請求項２に記載の発明において、前記閉塞部材の前記嵌合部には、この嵌合部を前記スラットの長手方向に貫通する貫通孔が形成されていることを特徴とする。
【００１６】
請求項３に記載の発明においては、閉塞部材の嵌合部に貫通孔が形成されているので、閉塞部材の嵌合部が変形し易くなるため、スラットの凹み部に嵌合部を簡単に嵌合することができ、スラットに閉塞部材をさらに簡単に取り付けることができる。
【００１７】
請求項４に記載のシャッターは、請求項１乃至請求項３のいずれかに記載の発明において、前記スラットカーテンの上部の室外側の隙間、前記スラットカーテンの両側端部と前記各ガイドレールとの間の隙間、および前記スラットカーテンと床面との間の隙間にそれぞれ、これらの隙間を閉塞する気密部材が設けられていることを特徴とする。
【００１８】
請求項４に記載の発明においては、スラットカーテンの上部の室外側の隙間、スラットカーテンの両側端部と各ガイドレールとの間の隙間、および前記スラットカーテンと床面との間の隙間にそれぞれ、これらの隙間をそれぞれ閉塞する気密部材を設けているので、シャッターの遮音性がさらに向上する。
【００１９】
【発明の実施の形態】
以下、図面を参照しながら、本発明の実施の形態について説明する。なお、本発明の特徴は、シャッターのスラットカーテンを改良した点にあり、その他の構成および作用は上述した従来の構造および作用と同様であるため、以下においては、本発明の特徴部分についてのみ言及し、それ以外の部分については、図３乃至図５と同一の符号を付してその説明を簡略化する。
図１は、本発明の実施の形態に係るシャッターのスラットカーテンを示す断面図、図２は、図１のスラットカーテンが巻取ドラムに巻き取られている状態を示す断面図、図３は、図１のスラットの端部を示す断面図である。
図１および図２に示すように、本実施の形態のシャッターのスラットカーテン３０は、複数個の細長いスラット３１が上下に連設されて構成されている。このスラットカーテン３０の上端部は、シャッターボックス７内の巻取ドラム５に固定されており、巻取ドラム５が回転することによって、スラットカーテン３０の両側端部が両ガイドレール３，３の両ガイド溝３ａ，３ａに案内されて昇降移動するようになっている。また、スラットカーテン３０の下端部には、座板３３が取り付けられている。
【００２０】
スラット３１の上端部は室外側に折り曲げられて略Ｃ字状に形成された上側連結部３１ａとされ、下端部は室内側に折り曲げられて略Ｃ字状に形成された下側連結部３１ｂとされており、各スラット３１はそれぞれ、インターロック方式により連結されている。すなわち、上下に隣接する各スラット３１において、上側のスラット３１の下側連結部３１ｂに、下側のスラット３１の上側連結部３１ａが引っ掛けられて、これらの各スラット３１が互いに回動自在に連結されている。
また、スラット３１の上側連結部３１ａと下側連結部３１ｂとの間の中間部３１ｃは、断面形状が室外側に向けて膨出する円弧状に形成されている。
【００２１】
スラット３１の中間部３１ｃと下側連結部３１ｂとの間には、断面形状が略Ｕ字状の凹み部３１ｄが室内側に凹むように形成されている。この凹み部３１ｄのうち、ガイドレール３，３のガイド溝３ａ，３ａ内に挿入される両側端部には、図３に示すように、シリコン等の充填材３４が充填されており、これにより凹み部３１ｄが平らに形成されている。また、両充填材３４，３４間の凹み部３１ｄには、ゴム等からなる可撓性の細長い閉塞部材３５が設けられている。
【００２２】
閉塞部材３５は、断面形状が略砲弾状の嵌合部３５ａと、この嵌合部３５ａから下方に延びた略く字状の板状の閉塞部３５ｂとから構成されている。嵌合部３５ａには、この嵌合部３５ａをスラット３１の長手方向に貫通する貫通孔３５ｃが形成されている。凹み部３１ｄのうち、両充填材３４，３４の間の部分に、嵌合部３５ａが嵌合されて、閉塞部材３５がスラット３１の室外側に取り付けられている。一方、閉塞部３５ｂの先端部は、嵌合部３５ａが嵌合されているスラット３１の下側に位置するスラット３１の中間部３１ｃの室外側の面に接触されている。このようにして、上下に隣接する各スラット３１，３１間の隙間がそれぞれ、閉塞部材３５により閉塞されている。なお、閉塞部材３５は、各スラット３１のうち、下側に座板３３が取り付けられる最下部のスラット３１以外の全てのスラット３１の室外側に設けられている。
【００２３】
また、座板３３は、断面形状が略逆Ｔ字状に形成されており、座板３３の上端部には、室外側に折り曲げられて略Ｃ字状に形成された連結部３３ａが設けられている。最下部のスラット３１の下側連結部３１ｂに、この座板３３の連結部３３ａが引っ掛けられて、最下部のスラット３１と座板３３とが互いに回動自在に連結されている。
【００２４】
また、座板３３の底面には、クロロプレンスポンジ等の可撓性を有する気密部材３９が固定されており、この気密部材３９により座板３３と床面１２との間の隙間が閉塞されている。また、スラットカーテン３０の両側端部と各ガイドレール３との間の隙間は、各ガイドレール３の両気密部材１６，１６によって閉塞されている。さらには、スラットカーテン３０とシャッターボックス７との間の隙間、すなわちスラットカーテン３０の上部の室外側の隙間は、シャッターボックス７の各気密部材１７によって閉塞され、スラットカーテン３０とまぐさ１９との間の隙間、すなわちスラットカーテン３０の上部の室内側の隙間は、まぐさ１９の気密部材２１によって閉塞されている。
【００２５】
このように構成されたシャッターにあっては、スラットカーテン３０の上部の室外側および室内側の隙間、スラットカーテン３０の両側端部と各ガイドレール３との間の隙間、前記スラットカーテン３０の座板３３と床面１２との間の隙間にそれぞれ、これらの隙間を閉塞する気密部材３９，１６，１７，２１を設けているとともに、各スラット２１間の隙間をそれぞれ閉塞する閉塞部材３５を設けているので、シャッターの遮音性を向上させることができる。
上記効果を試験により確認したところ、５００Ｈｚの音源に対する透過損失が３０ｄｂ程度であり、従来のシャッターに比べて、シャッターの遮音性が向上していた。
【００２６】
また、閉塞部材３５が可撓性を有しているので、スラットカーテン３０を巻取ドラム５により巻き上げているときに、各スラット３１と各閉塞部材３５との接触によるきしみ音などが発生するのを防止することができる。
【００２７】
また、スラット３１の凹み部３１ｄに閉塞部材３５の嵌合部３５ａ嵌合させて、スラット３１に閉塞部材３５を固定するので、スラット３１に閉塞部材３５を簡単に取り付けることができる。しかも、閉塞部材３５の嵌合部３５ａに貫通孔３５ｃが形成されているので、嵌合部３５ａが変形し易くなるため、スラット３１の凹み部３１ｄに嵌合部３５ａを簡単に嵌合することができ、スラット３１に閉塞部材３５をより簡単に取り付けることができる。
【００２８】
本発明は、上述した実施の形態に限定されず、その要旨を逸脱しない範囲内において、種々の変形が可能である。
例えば、上記実施の形態では、スラット３１の室外側に閉塞部材３５を設けたが、これに代えて、スラット３１の室内側に、閉塞部材３５を設けるようにしても良い。このようなシャッターの遮音性を試験により確認したところ、５００Ｈｚの音源に対する透過損失が３０ｄｂ程度であり、従来のシャッターに比べて、シャッターの遮音性が向上していた。
また、スラット３１の室外側および室内側に閉塞部材３５を設けるようにしても良い。このようなシャッターの遮音性を試験により確認したところ、５００Ｈｚの音源に対する透過損失が３３ｄｂ程度であり、上記実施の形態のシャッターよりも、遮音性が向上していた。
【００２９】
また、スラット３１の室内側に、合成樹脂等からなる制振材あるいは図５に示すような吸音材１５を付加するようにしても良い。このようにした場合、シャッターの遮音性をさらに向上させることができる。
【００３０】
また、上記実施の形態では、スラット３１の凹み部３１ｂに嵌合部３５ａを嵌合して、スラット３１に閉塞部材３５を固定したが、これに代えて、スラット３１に閉塞部材３５を接着剤等を用いて固定したり、あるいは取付具等を用いて固定したりするようにしても良い。
【００３１】
また、上記実施の形態では、各気密部材１６，１７，２１，３９に加えて、スラットカーテン３０に複数個の閉塞部材３５を設けて、シャッターの遮音性を高めたが、これに代えて、上記各気密部材１６，１７，２１，３９を設けずに、閉塞部材３５を設けるようにしても、シャッターの遮音性を確保することができる。この場合、従来のスラットカーテンに代えて、本発明に係るスラットカーテン３０を用いるだけで、シャッターの遮音性を向上させることができる。
【００３２】
【発明の効果】
以上説明したように、請求項１に記載のシャッターによれば、シャッターの遮音性を向上させることができるとともに、スラットカーテンを巻き上げているときに、各スラットと各閉塞部材との接触によるきしみ音などが発生するのを防止することができる。
【００３３】
請求項２に記載のシャッターによれば、請求項１に記載の発明と同様な効果を奏するとともに、スラットに閉塞部材を簡単に取り付けることができる。
【００３４】
請求項３に記載のシャッターによれば、請求項２に記載の発明と同様な効果を奏するとともに、スラットの凹み部に嵌合部を簡単に嵌合させることができ、スラットに閉塞部材をさらに簡単に取り付けることができる。
【００３５】
請求項４に記載のシャッターによれば、請求項１乃至請求項３のいずれかに記載の発明と同様な効果を奏するとともに、シャッターの遮音性をさらに向上させることができる。
【図面の簡単な説明】
【図１】本発明の実施の形態に係るシャッターのスラットカーテンを示す断面図である。
【図２】図１のスラットカーテンが巻取ドラムに巻き取られている状態を示す断面図である。
【図３】図１のスラットの端部を示す断面図である。
【図４】従来のシャッターを示す正面図である。
【図５】図４のＡ−Ａ線に沿う断面図である。
【図６】図４のＢ−Ｂ線に沿う断面図である。
【符号の説明】
３      ガイドレール
５      巻取ドラム
７      シャッターボックス
１６，１７，２１，３９  気密部材
３０    スラットカーテン
３１    スラット
３１ｄ  凹み部
３５    閉塞部材
３５ａ  嵌合部
３５ｂ  閉塞部
３５ｃ  貫通孔
【図１】
2004257121.tif 000003
【図２】
2004257121.tif 000004
【図３】
2004257121.tif 000005
【図４】
2004257121.tif 000006
【図５】
2004257121.tif 000007
【図６】
2004257121.tif 000008